(57)【特許請求の範囲】
【請求項１】
同期エリアを有する情報キャリアであり、
前記同期エリアが、該情報キャリアが用いられている装置におけるクロック周波数を同期させる、マークと該マーク間のスペースとを有する所定の同期パターンを有し、
ユーザ情報が、（１，７）ランレングス限定変調コードに従って、レコーディング・エリアにおけるパターンへ変換される情報キャリアであって、
前記所定同期パターンは、
チャネル・ビット長の２倍の長さを有するマークと、前記チャネル・ビット長の２倍の長さを有するスペースとを含む第一部分と、
前記チャネル・ビット長の５倍の長さを有するマークと、前記チャネル・ビット長の５倍の長さを有するスペースとを含む第二部分と、
前記チャネル・ビット長の３倍の長さを有するマークと、前記チャネル・ビット長の３倍の長さを有するスペースとを含む第三部分とを有する、
ことを特徴とする情報キャリア。
【請求項２】
請求項１記載の情報キャリアであって、
前記所定同期パターンのすべてのマークのトータル長さは、該所定同期パターンのすべてのスペースのトータル長さにほぼ等しいことを特徴とする情報キャリア。
【請求項３】
請求項１記載の情報キャリアであって、
ユーザ情報を表すパターンを書き込むための記録エリアとヘッダ情報を表すパターンを有するヘッダ・エリアとを有し、
前記ヘッダ・エリアが、前記同期エリアを有する、
ことを特徴とする情報キャリア。
【請求項４】
請求項３記載の情報キャリアであって、
前記ヘッダ情報は、（ｄ，ｋ）ランレングス限定変調コードに従って、前記ヘッダ・エリアにおけるパターンへ変換され、
ｄは、零より大きい所定の自然数を表し、
ｋは、ｄより大きい所定の自然数を表し、
各マークの長さ及び各スペースの長さは、複数のチャネル・ビット長（Ｔ）として表され、
前記所定同期パターンの第一部分は、前記チャネル・ビット長の（ｄ＋１）倍の第一の長さを有するマークと、前記チャネル・ビット長の（ｄ＋１）倍の第二の長さを有するスペースとを含み、
前記所定同期パターンの第二部分は、前記チャネル・ビット長の（ｋ＋１）倍の第三の長さを有するマークと、前記チャネル・ビット長の（ｋ＋１）倍の第四の長さを有するスペースとを含むことを特徴とする情報キャリア。
【請求項５】
請求項４記載の情報キャリアであって、
前記所定同期パターンは第三部分を更に有し、
該第三部分は、前記チャネル・ビット長の（ｋ−ｄ）倍の長さを有するマークと、前記チャネル・ビット長の（ｋ−ｄ）倍の長さを有するスペースとを含むことを特徴とする情報キャリア。
【請求項６】
ユーザ情報を表す情報パターンを情報キャリアのレコーディング・エリア上に書き込む記録方法であり、
前記情報パターンが、前記情報キャリアが用いられている装置におけるクロック周波数を同期させる所定の同期パターンを有し、
該所定同期パターンは、マークと該マーク間のスペースとから構成され、
各マークの長さ及び各スペースの長さは、複数のチャネル・ビット長（Ｔ）として表され、
前記ユーザ情報は、（１，７）ランレングス限定変調コードに従って、情報パターンへ変換される記録方法であって、
前記所定同期パターンは、
前記チャネル・ビット長の２倍の長さを有するマークと、前記チャネル・ビット長の２倍の長さを有するスペースとを含む第一部分と、
前記チャネル・ビット長の５倍の長さを有するマークと、前記チャネル・ビット長の５倍の長さを有するスペースとを含む第二部分と、
前記チャネル・ビット長の３倍の長さを有するマークと、前記チャネル・ビット長の３倍の長さを有するスペースとを含む第三部分とを有する、ことを特徴とする記録方法。
【請求項７】
ユーザ情報を表す情報パターンを情報キャリアのレコーディング・エリア上に書き込む記録装置であり、
前記情報キャリアが用いられている装置におけるクロック周波数を同期させる所定の同期パターンを有する前記情報パターンを書き込む手段と、
前記ユーザ情報を、（１，７）ランレングス限定変調コードに従って、情報パターンへ変換する手段とを有し
前記所定同期パターンは、マークと該マーク間のスペースとから構成され、
各マークの長さ及び各スペースの長さは、複数のチャネル・ビット長（Ｔ）として表される記録装置であって、
前記所定同期パターンは、
前記チャネル・ビット長の２倍の長さを有するマークと、前記チャネル・ビット長の２倍の長さを有するスペースとを含む第一部分と、
前記チャネル・ビット長の５倍の長さを有するマークと、前記チャネル・ビット長の５倍の長さを有するスペースとを含む第二部分と、
前記チャネル・ビット長の３倍の長さを有するマークと、前記チャネル・ビット長の３倍の長さを有するスペースとを含む第三部分とを有する、ことを特徴とする記録装置。
【請求項８】
所定の同期パターンを有する情報キャリアから情報を再生する読み取り装置であり、
前記所定同期パターンを読み取る読み取り手段と、
読み取られた前記所定同期パターンに応じてクロック周波数及びアンプのダイナミックレンジを設定する同期手段とを有し、
ユーザ情報が、（１，７）ランレングス限定変調コードに従って、レコーディング・エリアにおけるパターンから変換される読み取り装置であって、
前記同期手段は、
前記チャネル・ビット長の２倍の長さを有するマークと、前記チャネル・ビット長の２倍の長さを有するスペースとを含む第一部分と、
前記チャネル・ビット長の５倍の長さを有するマークと、前記チャネル・ビット長の５倍の長さを有するスペースとを含む第二部分と、
前記チャネル・ビット長の３倍の長さを有するマークと、前記チャネル・ビット長の３倍の長さを有するスペースとを含む第三部分と
を有する前記所定同期パターンに応じてクロック周波数及びアンプのダイナミックレンジを設定する手段を有することを特徴とする読み取り装置。
【請求項９】
請求項７記載の記録装置であり、
前記所定同期パターンを読み取る読み取り手段と、
読み取られた前記所定同期パターンに応じてクロック周波数及びアンプのダイナミックレンジを設定する同期手段とを有する記録装置であって、
前記同期手段は、前記所定同期パターンに応じてクロック周波数及びアンプのダイナミックレンジを設定する手段を有することを特徴とする記録装置。
【発明の詳細な説明】
【０００１】
本発明は、ユーザ情報を表すパターンを書き込むための記録エリアと、ヘッダ情報を表すパターンを有するヘッダ・エリアとを有する情報キャリアであって、上記ヘッダ・エリアが該情報キャリアが使用されている装置におけるクロック周波数の同期を取るための所定の同期パターンを有する同期エリアを有する情報キャリアに関する。
【０００２】
本発明は、更に、上記情報キャリアから情報を再生する読み取り装置と、上記情報キャリア上にユーザ情報を表すパターンを書き込む記録装置とにも関する。
【０００３】
本願において、「マーク」という語は、情報キャリア上の光学的に検知可能な領域のすべてを含むものと理解されるべきであり、例えば、相変化タイプの情報キャリア上の結晶に囲まれた非結晶領域や、エンボス・データを有する情報キャリア上のピットなども含まれる。「スペース」という語は、マークに囲まれた領域のすべてを含むものと理解されるべきである。マーク／スペースのパターンは、情報キャリア上の情報を表す。
【０００４】
プリアンブルに係る情報キャリアは、欧州電子計算機工業会規格：ＥＣＭＡ−１５４から知られている。このような情報キャリアは、Ｈａｎｄｂｏｏｋ  ｏｆ  Ｍａｇｎｅｔｏ−Ｏｐｔｉｃａｌ  Ｄａｔａ  Ｒｅｃｏｒｄｉｎｇ；ＭｃＤａｎｉｅｌ，ＴＷ  ａｎｄ  Ｖｉｃｔｏｒａ，ＲＨ；Ｎｏｙｅｓ  Ｐｕｂｌｉｃａｔｉｏｎｓ；１９９７にも記載されている。この既知情報キャリア上において、情報はトラック形式で記録されている。一トラックは、連続した螺旋の３６０°回転によって形成される。各トラックは、複数のセグメントに再分割される。各セグメントは、ヘッダ・エリアから始まる。ユーザ情報は、ヘッダ・エリア間のセグメント・エリアに書き込まれる。
【０００５】
ヘッダ・エリアは、ヘッダ情報を表すパターンを有する。このヘッダ情報は、読み取り装置及び記録装置において、情報キャリア上の情報に正確にアクセスするために及び情報キャリア上に情報を正確に記録するために用いられる。ヘッダ・エリアは、例えば、後続パターンがセグメントのアドレスを表すことを示すパターン（すなわち、アドレス・マーク）を有する。ヘッダ・エリアは、更に、情報キャリアが用いられている読み取り装置及び記録装置におけるクロックを同期させるための同期エリア（いわゆるＶＦＯフィールド）を有する。このようなクロックは、例えば、装置内に置かれた可変周波数発振器（Ｖａｒｉａｂｌｅ  Ｆｒｅｑｕｅｎｃｙ  Ｏｓｃｉｌｌａｔｏｒ：ＶＦＯ）回路によって生成される。
【０００６】
このＶＦＯフィールドは、「ロック・アップ（ｌｏｃｋ  ｕｐ）」するのに、すなわちヘッダが読み取られた時に装置の読み取り／書き込みチャネル・クロックの固有周波数及び位相を確立するのに用いられる。より具体的に言えば、ＶＦＯフィールドは、セグメントが書き込まれている時に書き込みチャネル・クロック周波数及び位相を確立させ、セグメントが読み取られている時に読み取りチャネル・クロック周波数及び位相を確立させる。一般的に、この「ロック・アップ」は、読み取り／書き込みチャネル・クロックをＶＦＯフィールドの同期パターンを読み取ることによって得られた信号に関連付ける位相ロック・ループ（ＰＬＬ）回路によって実現される。
【０００７】
このＶＦＯフィールドは、更に、情報を表すマーク／スペース・パターンを読み取ることによって得られたアナログ高周波（ＨＦ）信号をディジタル情報信号へ変換する回路のスライサ・レベル（ｓｌｉｃｅｒ  ｌｅｖｅｌ）を設定するのにも用いられる。その上、ＶＦＯフィールドは、アナログ／ディジタル変換回路のフルレンジが利用されるように自動利得制御（ＡＧＣ）アンプのダイナミックレンジを設定するのにも用いられる。
【０００８】
ヘッダ・エリア間のセグメント・エリアもＶＦＯフィールドを有する。ユーザ情報は、上記所定同期パターンの後に続く。この同期パターンは、自動利得制御（ＡＧＣ）アンプのダイナミックレンジを設定すること、情報を表すマーク／スペース・パターンを読み取ることによって得られたアナログ高周波（ＨＦ）信号をディジタル情報信号へ変換する回路のスライサ・レベルを設定すること、及び、上記所定同期パターンが読み取られた時にその装置固有の読み取り／記録チャネル・クロックの周波数及び位相を設定することに用いられる。上記設定は、ヘッダにおける上記所定同期パターンを読み取ることによって得られたものからはずれてもよい。これは、ヘッダ情報とユーザ情報とが必ずしも同じ周波数及び位相で書き込まれるわけではないディスク製造工程のためである。
【０００９】
ＶＦＯフィールドは、マークとスペースとから成る上記所定同期パターンから成る。既知の情報キャリアのこの所定同期パターンは、３Ｔのマークと３Ｔのスペースとから成るシーケンスから成る。ここで、Ｔは一チャネル・ビット長を表す。このパターンは、情報を例えばＤＶＤディスク上で用いられるＥＦＭｐｌｕｓなどの情報キャリア上の情報を表すパターンへ変換するのに用いられる（２，ｋ）ランレングス限定（ＲＬＬ）コードによって許容される最短の考え得るマーク／スペース・シーケンスをもたらす。これら短いマーク／スペースのために、ＶＦＯフィールドを読み取ることによって得られる信号は、装置の読み取り／書き込みチャネルの素早い「ロック・アップ」をもたらす単一の高周波を含む。
【００１０】
しかし、既知の情報キャリアのこの所定同期パターンは、３Ｔのマークと３Ｔのスペースとから成るシーケンスから成る同期パターンが用いられた場合に自動利得制御（ＡＧＣ）アンプの設定が最適でないという問題を有する。
【００１１】
本発明の目的は、特に、情報キャリアが用いられている装置における自動利得制御（ＡＧＣ）アンプの設定を最適化する所定同期パターンを有する情報キャリアを提供することである。
【００１２】
この目的は、上記所定同期パターンが第一部分と第二部分とを有し、第二部分が第一部分から区別可能であることを特徴とする本発明に係る情報キャリアによって達成される。
【００１３】
３Ｔのマークと３Ｔのスペースとから成るシーケンスから成る既知の所定同期パターンが用いられると、自動利得制御（ＡＧＣ）アンプのダイナミックレンジは、これら単一周波数のパターンを読み取ることによって得られた信号のダイナミックレンジに従って設定される。これら短いマークの信号振幅はより長いマークの信号振幅よりも大幅に小さい。これら短いマークのシーケンスを読み取る際の信号振幅は、長いマークも含むシーケンスを読み取る際の振幅の２０％程度である。しかし、情報キャリア上の情報は、適用されるＲＬＬコードによって許容されるすべての長さを有するマーク／スペースの混在から成る。よって、自動利得制御（ＡＧＣ）アンプのダイナミックレンジは、情報キャリア上のあらゆるパターンの読み取りに対して最適な値には設定されない。
【００１４】
最適化された自動利得制御（ＡＧＣ）アンプのダイナミックレンジを設定するために、本発明に係る所定同期パターンは２つの区別し得る部分を有する。第一部分は低ダイナミックレンジを有する信号をもたらすパターンに関連付けられ、第二部分は高ダイナミックレンジを有する信号をもたらすパターンに関連付けられる。この混在のために、自動利得制御（ＡＧＣ）アンプのダイナミックレンジは、情報キャリア上のすべての種類のパターンの読み取りに対して最適化された値に設定される。
【００１５】
同期パターンの第一部分及び第二部分は、実際のデータが読み取られる前に読み取り／記録装置における回路設定（ＡＧＣ、スライサ・レベル、周波数、及び位相）が良好に設定されるように、十分に頻繁に繰り返される。
【００１６】
所定同期パターンがマークと該マーク間のスペースとから構成される本発明に係る情報キャリアの一実施形態は、所定同期パターンの第一部分が第一の長さを有するマークと第二の長さを有するスペースとを含み、所定同期パターンの第二部分が第三の長さを有するマークと第四の長さを有するスペースとを含み、第一の長さは第三の長さと異なり、第二の長さは第四の長さと異なることを特徴とする。
【００１７】
自動利得制御（ＡＧＣ）アンプのダイナミックレンジの満足できる設定は、第一部分が、ランレングスとも呼ばれ、第二部分のマークとは異なる長さのマークと、ランレングスとも呼ばれ、第二部分のスペースとは異なる長さのスペースとを含む場合に得られる。この点に関する一例は、例えば、第一部分が３Ｔのマークと３Ｔのスペースとを含み、第二部分が８Ｔのマークと８Ｔのスペースとを含む。ここで、上記両部分は非対称でもよく、例えば、第一部分が３Ｔのマークと８Ｔのスペースとを含み、第二部分が８Ｔのマークと３Ｔのスペースとを含んでもよい。
【００１８】
この実施形態の追加的利点は、情報キャリアが傾いた状態で読み取り装置若しくは記録装置に置かれた場合であっても、読み取り／書き込みチャネル・クロックの位相の正確な「ロック・アップ」が得られることである。
【００１９】
本発明に係る情報キャリアの別の実施形態は、所定同期パターンのすべてのマークのトータル長さが、該所定同期パターンのすべてのスペースのトータル長さにほぼ等しいことを特徴とする。
【００２０】
「ＤＣの無い」パターンとも呼ばれる上記パターンは、情報を表すマーク／スペース・パターンを読み取ることによって得られるアナログ高周波（ＨＦ）信号をディジタル情報信号へ変換する回路のスライサ・レベルの設定を最適化することを可能にする。
【００２１】
ヘッダ情報が（ｄ，ｋ）ランレングス限定変調コードに従ってヘッダ・エリアにおけるパターンへ変換され、ｄが零より大きい所定の自然数を表し、ｋがｄより大きい所定の自然数を表し、各マークの長さ及び各スペースの長さが複数のチャネル・ビット長（Ｔ）として表される本発明に係る情報キャリアの一実施形態は、所定同期パターンの第一部分が、チャネル・ビット長の（ｄ＋１）倍の第一の長さを有するマークとチャネル・ビット長の（ｄ＋１）倍の第二の長さを有するスペースとを含み、所定同期パターンの第二部分が、チャネル・ビット長の（ｋ＋１）倍の第三の長さを有するマークと、チャネル・ビット長の（ｋ＋１）倍の第四の長さを有するスペースとを含むことを特徴とする。
【００２２】
（ｄ，ｋ）ランレングス限定変調コードが適用されると、一マーク長及び一スペース長の許容最小値は、チャネル・ビット長の（ｄ＋１）倍（すなわち、（ｄ＋１）Ｔ）である。一マーク長及び一スペース長の許容最大値は、チャネル・ビット長の（ｋ＋１）倍（すなわち、（ｋ＋１）Ｔ）である。所定同期パターンが、最小長さを有するマーク／スペースから成る第一部分と、最大長さを有するマーク／スペースから成る第二部分とを有する場合、この所定同期パターンを読み取ることによって得られる信号は、最小信号振幅を有する部分と、最大信号振幅を有する部分とを有することになる。このような信号を用いることによって、（ｄ＋１）Ｔから（ｋ＋１）Ｔまでの間の長さを有するパターンを読み取ることによって得られるすべての信号振幅に対して満足できる増幅が得られるように、自動利得制御（ＡＧＣ）アンプのダイナミックレンジを設定することができる。
【００２３】
本発明に係る情報キャリアの好ましい実施形態は、所定同期パターンが更に第三部分を有し、この第三部分がチャネル・ビット長の（ｋ−ｄ）倍の長さを有するマークとチャネル・ビット長の（ｋ−ｄ）倍の長さを有するスペースとを含むことを特徴とする。
【００２４】
ヘッダ情報が（２，７）ＲＬＬコーディングに従ってコード化されると、３Ｔのマーク／スペース、５Ｔのマーク／スペース、及び８Ｔのマーク／スペースを有する所定同期パターン（すなわち、ＶＦＯパターン）が、読み取り／書き込みチャネル・クロックの良好な「ロック・アップ」及びスライサ・レベルの良好な設定をもたらす。このような（２，７）ＲＬＬコーディングは、例えば、Ｏｐｔｉｃａｌ  Ｄｉｓｃ  Ｓｙｓｔｅｍ  ｆｏｒ  Ｄｉｇｉｔａｌ  Ｖｉｄｅｏ  Ｒｅｃｏｒｄｉｎｇ；Ｊｐｎ．Ｊ．Ａｐｐｌ．Ｐｈｙｓ．；Ｖｏｌ．３９，パート１；２０００年２月に記載されたディジタル・ビデオ・レコーディング・システムにおいて用いられるような情報キャリア上のエンボス・データ・エリアにおいて用いられる。
【００２５】
特に有益的な所定同期パターンは、「３Ｔのマーク−３Ｔのスペース−８Ｔのマーク−８Ｔのスペース−５Ｔのマーク−５Ｔのスペース」のシーケンスを有する。
【００２６】
対称的な部分、すなわちマーク長がスペース長とほぼ等しい部分を適用することによって良好な結果が得られるが、例えば「３Ｔのマーク−８Ｔのスペース−５Ｔのマーク−３Ｔのスペース−５Ｔのマーク−８Ｔのスペース」などのシーケンスを用いることも可能である。
【００２７】
（ｄ，ｋ）ランレングス限定変調コードが定数ｋを大きい値として適用される場合、許容最大長さ（ｋ＋１）Ｔが所定同期パターンのマーク／スペースに対して用いられることは必要不可欠ではないことに注意。このような長さのマーク／スペースを用いることにより、該パターンを読み取ることによって得られる信号振幅が許容最長マーク／スペースを読み取った時に得られる振幅とほぼ等しくなる。例えば、（２，７）ＲＬＬコードに対して用いられる同じ「３Ｔ−３Ｔ−８Ｔ−８Ｔ−５Ｔ−５Ｔ」シーケンスは、ＤＶＤシステムにおいて用いられるＥＦＭｐｌｕｓコードなどの（２，１０）ＲＬＬコードに対しても用いられ得る。１１Ｔのマークを読み取ることによって得られる信号振幅は、８Ｔのマークを読み取る際に得られる振幅よりわずかに大きいにすぎない。
【００２８】
クロック修正回路（例えば、位相ロック・ループ回路など）がチャネル・クロックの周波数及び位相をロック・アップするのに必要な時間は所定同期パターンにおけるトランジッション数にほぼ反比例するため、自動利得制御（ＡＧＣ）アンプのダイナミックレンジの完全な設定と位相ロック・ループ回路のロック・アップ速度との間のトレードオフにより、結果として１１Ｔのマークに代わって８Ｔのマークが用いられる。
【００２９】
前述の本発明の目的は、ユーザ情報を表すパターンを書き込むための記録エリアとヘッダ情報を表すパターンを有するヘッダ・エリアとを有する情報キャリアであり、記録エリアが該情報キャリアが用いられている装置におけるクロック周波数を同期させる所定同期パターンを有する同期エリアを有し、ユーザ情報が（１，７）ランレングス限定変調コードに従って記録エリアにおけるパターンへ変換され、所定同期パターンがマークと該マーク間のスペースとから構成され、各マークの長さ及び各スペースの長さが複数のチャネル・ビット長（Ｔ）として表される情報キャリアであって、所定同期パターンが、チャネル・ビット長の２倍の長さを有するマークとチャネル・ビット長の２倍の長さを有するスペースとを含む第一部分と、チャネル・ビット長の５倍の長さを有するマークとチャネル・ビット長の５倍の長さを有するスペースとを含む第二部分と、チャネル・ビット長の３倍の長さを有するマークとチャネル・ビット長の３倍の長さを有するスペースとを含む第三部分とを有することを特徴とする情報キャリアによっても達成される。
【００３０】
ヘッダ情報が（１，７）ＲＬＬコーディングに従ってコード化されると、２Ｔのマーク／スペース、３Ｔのマーク／スペース、及び５Ｔのマーク／スペースを有する所定同期パターンが、情報キャリアが用いられている装置における自動利得制御（ＡＧＣ）アンプの魅力的な設定をもたらす。このような（１，７）ＲＬＬコーディングの一例は、Ｏｐｔｉｃａｌ  Ｄｉｓｃ  Ｓｙｓｔｅｍ  ｆｏｒ  Ｄｉｇｉｔａｌ  Ｖｉｄｅｏ  Ｒｅｃｏｒｄｉｎｇ；Ｊｐｎ．Ｊ．Ａｐｐｌ．Ｐｈｙｓ．；Ｖｏｌ．３９，パート１；２０００年２月に記載されたディジタル・ビデオ・レコーディング・システムにおいてユーザ情報をコード化するのに用いられる１７ＰＰコーディングである。
【００３１】
特に有益的な所定同期パターンは、「３Ｔのマーク−３Ｔのスペース−２Ｔのマーク−２Ｔのスペース−５Ｔのマーク−５Ｔのスペース」のシーケンスを有する。本発明のこの実施形態においては、５Ｔのマーク及び５Ｔのスペースを用いれば十分である。なぜなら、これら５Ｔのマーク及び５Ｔのスペースを読み取ることによって得られる信号振幅は、許容最長マーク／スペース（すなわち、８Ｔのマーク／スペース）を読み取る際に得られる振幅とほぼ等しいからである。
【００３２】
対称的な部分、すなわちマーク長がスペース長とほぼ等しい部分を適用することによって好ましい結果が得られるが、例えば「２Ｔのマーク−５Ｔのスペース−３Ｔのマーク−２Ｔのスペース−５Ｔのマーク−３Ｔのスペース」などのシーケンスを用いることも可能である。
【００３３】
ＶＦＯフィールドにおいて用いられる上記提案された所定同期パターンは、ガード・パターンとしてもダミー・データ・パターンとしても使用することができると有益的であることは当業者には明らかであろう。ガード・パターンは、消去されるパターンに上書きするのに用いられるパターンである。ガード・パターンは、更に、情報キャリアを読み取る際に読み取り装置のエレクトロニクスが影響を受けない例えば連結位置などの位置において書き込まれる。ダミー・データ・パターンは、情報キャリア上の領域であって、空白（すなわち、マークを一切含まない）となることが許されない任意の領域に書き込まれてもよい。
【００３４】
本発明の別の目的は、本発明に係る情報キャリアから情報を再生する読み取り装置、及び、本発明に係る情報キャリア上にユーザ情報を表すパターンを書き込む記録装置を提供することである。
【００３５】
この目的は、請求項８記載の特徴を有する読み取り装置を提供することによって達成される。この目的は、請求項９記載の特徴を有する記録装置を提供することによっても達成される。
【００３６】
本発明の上記及び他の目的、特徴、及び利点は、以下、添付図面に示された本発明の実施形態の詳細な説明より明らかにされる。
【００３７】
図１は、光学的に読み取り可能なタイプでディスク状の情報キャリア１を示す。情報キャリア１の内側においては、単一螺旋状のエンボス・ピット列によってトラック２１が形成されている。上記エンボス・トラックは、予め記録された情報を有する。情報キャリア１の外側においては、単一螺旋状のグルーブ（情報キャリアの内側から情報キャリアの外側へ向かって伸びるグルーブ・トラック２２）と、隣接するグルーブ間に存在する単一の螺旋（ランド・トラック２３）とによってトラックが形成されている。ユーザ情報は、グルーブ・トラック２２及びランド・トラック２３の両方に記録されてもよい。各トラックは、８つのセグメント（セグメント０〜７）へ分割される。各セグメントは、エンボス・ピットとヘッダ情報を表す該ピット間のスペースとから成るパターンを有するヘッダ・エリア３から始まる。
【００３８】
図２は、情報キャリア１のラインｂ−ｂに沿った断面を示す。ヘッダ・エリア３は、記録エリアのセグメント１とセグメント２との間に位置する。セグメント１及び２はそれぞれ、グルーブ・トラック２２とランド・トラック２３とを有する。ヘッダ・エリア３は、グルーブ・トラック２２に関連付けられたグルーブ・ヘッダ３２と、ランド・トラック２３に関連付けられたランド・ヘッダ３３とを有する。情報キャリア１の読み取り中、ランド・ヘッダ３３はグルーブ・ヘッダ３２よりも早く現れる。グルーブ・ヘッダ３２及びランド・ヘッダ３３は、エンボス・ビット形式のマーク３１とマーク間のスペース２０とから成るパターンによって表されるヘッダ情報を有する。
【００３９】
図３ｂは、ヘッダ・エリア３内のグルーブ・ヘッダ３２若しくはランド・ヘッダ３３のレイアウトを示す。各ヘッダは、複数のフィールド３９から成る。セクタ・マーク（ＳＭ）・フィールドは、一般的にはヘッダの先頭に配置されている。このＳＭフィールドは、それがセグメントの先頭を明確に示すように容易に見つけられるようにされた固有のパターンを含む。
【００４０】
このヘッダは、更に、少なくとも１つのＶＦＯフィールドＶＦＯ１を有する。このヘッダは、更に、別のＶＦＯフィールド（例えば、ＶＦＯフィールドＶＦＯ２）を有してもよい。このＶＦＯフィールドは、「ロック・アップ」させるのに、すなわちこのヘッダが読み取られた時にその装置の読み取り／書き込みチャネル・クロックの固有周波数及び位相を確立させるのに用いられる。このＶＦＯフィールドは、更に、情報を表すマーク／スペース・パターンを読み取ることによって得られたアナログ高周波（ＨＦ）信号をディジタル情報信号へ変換する回路のスライサ・レベルを設定するためにも用いられる。更に、このＶＦＯフィールドは、アナログ／ディジタル変換回路のフルレンジが利用されるように自動利得制御（ＡＧＣ）アンプのダイナミックレンジを設定するのに用いられる。
【００４１】
ＶＦＯフィールドは、マーク３１とスペース３０とから成る所定同期パターンから成る。図３ｃは、特に魅力的な所定同期パターン４０を示す。このパターン４０は、３Ｔのマークと３Ｔのスペースとを含む第一部分４１と、８Ｔのマークと８Ｔのスペースとを含む第二部分４２と、５Ｔのマークと５Ｔのスペースとを含む第三部分４３と、から成る。Ｔは一チャネル・ビット長を表す。一シーケンスの全長は、例えば、２８８チャネル・ビット長である。
【００４２】
所定同期パターン４０は、ヘッダ情報が（２，７）ランレングス限定変調コードに従ってヘッダ・エリア３におけるパターンへ変換される場合に特に有益的である。この変調コードによって許容される最短のマーク／スペース長は３Ｔであり、この変調コードによって許容される最長のマーク／スペース長は８Ｔである。許容される最短及び最長のマーク／スペース長は、いずれも所定同期パターン４０に組み込まれているため、この所定同期パターンを読み取ることによって得られる信号は振幅について最大のダイナミックレンジを有する。自動利得制御（ＡＧＣ）アンプのダイナミックレンジの良好な設定はこのような信号から得られる。
【００４３】
図４は、本発明に係るディスク状の情報キャリア１を読み取る読み取り装置を示す。この読み取り装置は、情報キャリア１から所定同期パターン４０などの情報を読み取る読み取り手段４５を有する。この読み取り手段４５は、放射線ビーム４６によって、トラック２１、２２、及び２３を走査する。読み取り手段４５がビーム３０によってトラック２１、２２、及び２３を読み取り、情報を表す光学的に読み取り可能なマークを電気的アナログ高周波信号４７へ変換する間、駆動手段によって駆動される情報キャリア１は回転する。この読み取り装置は、更に、電気的アナログ高周波信号４７からディジタル情報信号４８を復元する復調手段５０を有する。
【００４４】
この復調手段は、電気的アナログ高周波信号４７を増幅する自動利得制御（ＡＧＣ）アンプ５１と、クロック信号を生成する位相ロック・ループ５２と、増幅された電気的アナログ高周波信号４７をディジタル情報信号４８へ変換する回路５３とを有する。
【００４５】
自動利得制御（ＡＧＣ）アンプ５１、位相ロック・ループ５２、及び回路５３の設定は、同期手段５５によって制御される。これら同期手段５５は、自動利得制御（ＡＧＣ）アンプ５１のダイナミックレンジに対する正確な設定、移動ロック・ループ５２によって生成されるクロック信号の周波数及び位相に対する正確な設定、及び、回路５３のスライサ・レベルに対する正確な設定を求める。上記正確な設定は、同期手段５５によって、特に、情報キャリア１のＶＦＯフィールドにおける読み取られた所定同期パターン４０に対応する電気的アナログ高周波信号４７の一部から求められる。
【図面の簡単な説明】
【図１】  本発明に係る情報キャリアの一実施形態を示す図である。
【図２】  ヘッダ・エリアを概略的に示す図である。
【図３】  ヘッダ・エリアのレイアウトを示す図である。
【図４】  本発明に係る読み取り装置の一実施形態を示す図である。
【図１】
0004903343.tif 000002
【図２】
0004903343.tif 000003
【図３】
0004903343.tif 000004
【図４】
0004903343.tif 000005